(57)【特許請求の範囲】
【請求項１】
一端部に少なくとも２つの環状部α１，α２が形成され、他端部に少なくとも１つの環状部β１が形成され、環状部α１，α２と環状部β１とが帯状部γで連結され、環状部α１及び環状部β１を使用する場合と環状部α２及び環状部β１を使用する場合とで環状部間隔を変更することができるようにしたスリングであって、
点Ａ１０を始点として点Ａ２０を終点とする１本の帯紐における点Ａ１０から点Ａ１１（ただし、点Ａ１１は、前記帯紐における区間Ａ１０Ａ２０上の任意の点である。）までの区間Ａ１０Ａ１１が環状に折り返されて、前記一端部に環状部α１が形成され、
前記帯紐における点Ａ１１から点Ａ１２（ただし、点Ａ１２は、前記帯紐における区間Ａ１１Ａ２０上の任意の点である。）までの区間Ａ１１Ａ１２が線状に伸ばされて、帯状部γにおける片面部γ１が形成され、
前記帯紐における点Ａ１２から点Ａ１３（ただし、点Ａ１３は、前記帯紐における区間Ａ１２Ａ２０上の任意の点である。）までの区間Ａ１２Ａ１３が環状に折り返されて、前記他端部に環状部β１が形成され、
前記帯紐における点Ａ１３から点Ａ１４（ただし、点Ａ１４は、前記帯紐における区間Ａ１３Ａ２０上の任意の点である。）までの区間Ａ１３Ａ１４が区間Ａ１１Ａ１２に重ねられて、帯状部γにおける片面部γ２（ただし、片面部γ２は、帯状部γにおける片面部γ１とは反対側の面を形成する部分である。）が形成され、
前記帯紐における点Ａ１４から点Ａ２０までの区間Ａ１４Ａ２０が環状部α１の外周部を囲むように環状に折り返されて、前記一端部に環状部α２が形成されるとともに、
環状部α１における点Ａ１０近傍の特定区間と環状部α２における点Ａ１４近傍の特定区間とが互いに縫合された縫合部δ１とされ、
環状部α１における点Ａ１１近傍の特定区間と環状部α２における点Ａ２０近傍の特定区間とが互いに縫合された縫合部δ２とされ、
帯状部γにおける片面部γ１の特定区間と片面部γ２の特定区間とが互いに縫合された縫合部δ３とされる一方、
環状部α２における縫合部δ１と縫合部δ２との間の区間は、環状部α１に対して縫合されないことを特徴とするスリング。
【請求項２】
前記帯紐よりも短く、点Ｂ１０を始点として点Ｂ２０を終点とする短帯紐を前記帯紐における環状部α２の内側でかつ環状部α１の外側となる部分に配し、
前記短帯紐における区間Ｂ１０Ｂ２０が前記一端部側に凸となるよう半環状に折り返されて、前記一端部に別の環状部α３が形成されるとともに、
環状部α３における点Ｂ１０近傍の特定区間と環状部α２における特定区間とが互いに縫合された縫合部δ４とされ、
環状部α３における点Ｂ２０近傍の特定区間と環状部α２における特定区間とが互いに縫合された縫合部δ５とされる一方、
環状部α３における縫合部δ４と縫合部δ５との間の区間は、環状部α１及び環状部α２に対して縫合されない請求項１記載のスリング。
【発明の詳細な説明】
【技術分野】
【０００１】
本発明は、クレーンなどの運搬機械を利用して物品を吊り上げる際に、運搬機械と物品を連結するスリングに関する。
【背景技術】
【０００２】
クレーンなどの運搬機械を利用して物品を吊り上げる際には、両端部に環状部が形成されたスリングが用いられる。スリングの環状部には、運搬機械や物品に設けられたフックなどが引っ掛けられる。この環状部は、その形が目（アイ）の形に似ていることから「アイ部」と呼ばれることがある。以前のスリングは、金属製のワイヤで形成されたもの一般的であったが、金属製のスリングは、物品の表面を傷付けるおそれがあったため、近年は、繊維製の帯紐で形成されたものが主流となっている。
【０００３】
繊維製の帯紐で形成されたスリングと一口に言っても、その種類は様々である。例えば、１本の繊維製の帯紐を環状に形成して扁平に押し潰し、その押し潰された帯紐の長手方向両端部を除く部分を重ねて縫合することにより、両端部に環状部が形成されるようにしたスリングが知られている（例えば、特許文献１，２を参照。）。この種のスリングは、その両端部に環状部を形成できるにもかかわらず、使用する帯紐の本数が１本で済み、その製造工程を簡素化できることに加えて、両端部の環状部をその間の帯状部と一体的に形成したり、該帯状部で帯紐を２重に重ねたりすることができるので、強度的にも優れたものとなっている。
【０００４】
ところが、特許文献１，２のスリングのように、その両端部に環状部が１つずつのみ設けられたスリングは、使用する一対の環状部（運搬装置のフックなどに掛ける一対の環状部）間のスリングの長手方向に沿った距離（以下において、「環状部間隔」と呼ぶことがある。）が一義的に定まっており、吊り上げる物品の寸法などに応じて環状部間隔を変更することができないという欠点を有していた。例えば、水平方向に寝かされて置かれた鋼管をその姿勢を保ったままの状態で吊り上げる際には、スリングを鋼管の下側に掛け回し、スリングの両端部の環状部を鋼管の上方で重ね、その環状部を共通のフックなどに引っ掛ける「バスケット吊り」と呼ばれる方法が採用されることがある。しかし、この鋼管の「バスケット吊り」においては、鋼管の外径によってスリングの長さを変える必要があるものの、特許文献１，２のスリングでは対応することができなかった。
【０００５】
このような実状に鑑みてか、これまでには、その両端部に形成された大きな環状部の内側に、該大きな環状部を形成する帯紐とは別生地の短い帯紐で形成した小さな環状部を取り付けたスリングも提案されている（例えば、特許文献３を参照。）。また、扁平に押し潰した環状の帯紐の両端部だけでなく、その両端部以外の部分にも縫合しない部分を設け、その両端部以外の部分にも環状部を形成したスリングも提案されている（例えば、特許文献４を参照。）。これにより、吊り上げる物品の寸法などに応じて、使用する環状部を選択することが可能になり、環状部間隔を変更することが可能になる。
【０００６】
ところが、特許文献３のスリングのように、大きな環状部の内側に小さな環状部を別に取り付けたスリングには、小さな環状部の数だけ使用する帯紐の数が増加し、それぞれの帯紐の位置合わせや縫合などに手間を要するようになるという欠点があった。これに対し、特許文献４のスリングのように、その両端部以外の部分にも縫合しない部分を設けて環状部を形成したスリングでは、１本の帯紐で形成することはできるものの、両端部以外の環状部にフックなどを掛けた際には、該環状部よりもスリングの外端部寄りにある帯紐の縫合部がフックなどによって引き裂かれるおそれがあった。
【先行技術文献】
【特許文献】
【０００７】
【特許文献１】実開昭４９−１３３３６５号公報
【特許文献２】実開昭５４−０６３３７８号公報
【特許文献３】実開昭５９−１０５２７７号公報
【特許文献４】特開昭５９−１８６８８０号公報
【発明の概要】
【発明が解決しようとする課題】
【０００８】
本発明は、上記課題を解決するためになされたものであり、３つ以上の環状部を有し、吊り上げる物品の寸法などに応じて環状部間隔を適宜変更できるとともに、その製造に用いる帯紐の本数を少なく抑え、かつ、環状部に掛けたフックなどが帯紐の縫合部に無理な力を加えず、該縫合部が引き裂かれるおそれのないスリングを提供するものである。
【課題を解決するための手段】
【０００９】
上記課題は、
一端部に少なくとも２つの環状部α１，α２が形成され、他端部に少なくとも１つの環状部β１が形成され、環状部α１，α２と環状部β１とが帯状部γで連結され、環状部α１及び環状部β１を使用する場合と環状部α２及び環状部β１を使用する場合とで環状部間隔を変更することができるようにしたスリングであって、点Ａ１０を始点として点Ａ２０を終点とする１本の帯紐における点Ａ１０から点Ａ１１（ただし、点Ａ１１は、前記帯紐における区間Ａ１０Ａ２０上の任意の点である。）までの区間Ａ１０Ａ１１が環状に折り返されて、前記一端部に環状部α１が形成され、前記帯紐における点Ａ１１から点Ａ１２（ただし、点Ａ１２は、前記帯紐における区間Ａ１１Ａ２０上の任意の点である。）までの区間Ａ１１Ａ１２が線状に伸ばされて、帯状部γにおける片面部γ１が形成され、前記帯紐における点Ａ１２から点Ａ１３（ただし、点Ａ１３は、前記帯紐における区間Ａ１２Ａ２０上の任意の点である。）までの区間Ａ１２Ａ１３が環状に折り返されて、前記他端部に環状部β１が形成され、前記帯紐における点Ａ１３から点Ａ１４（ただし、点Ａ１４は、前記帯紐における区間Ａ１３Ａ２０上の任意の点である。）までの区間Ａ１３Ａ１４が区間Ａ１１Ａ１２に重ねられて、帯状部γにおける片面部γ２（ただし、片面部γ２は、帯状部γにおける片面部γ１とは反対側の面を形成する部分である。）が形成され、前記帯紐における点Ａ１４から点Ａ２０までの区間Ａ１４Ａ２０が環状部α１の外周部を囲むように環状に折り返されて、前記一端部に環状部α２が形成されるとともに、環状部α１における点Ａ１０近傍の特定区間と環状部α２における点Ａ１４近傍の特定区間とが互いに縫合された縫合部δ１とされ、環状部α１における点Ａ１１近傍の特定区間と環状部α２における点Ａ２０近傍の特定区間とが互いに縫合された縫合部δ２とされ、帯状部γにおける片面部γ１の特定区間と片面部γ２の特定区間とが互いに縫合された縫合部δ３とされる一方、環状部α２における縫合部δ１と縫合部δ２との間の区間は、環状部α１に対して縫合されないことを特徴とするスリング
を提供することによって解決される。
以下においては、説明の便宜上、このスリングを「第一実施態様のスリング」と呼ぶことがある。
【００１０】
第一実施態様のスリングは、１本の帯紐で形成したにもかかわらず、３つの環状部α１，α２，β１を有し、環状部α１を使用する場合（環状部α１及び環状部β１を使用する場合）と、環状部α２を使用する場合（環状部α２及び環状部β１を使用する場合）とで、環状部間隔を変更することができるものとなっている。また、第一実施態様のスリングは、環状部α１，α２，β１よりも内寄りには帯紐の縫合部が存在するものの、環状部α１，α２，β１よりも外寄りには帯紐の縫合部が存在しないため、環状部α１，α２，β１のいずれにフックなどを掛けた場合であっても、帯紐の縫合部に引き裂かれるような力が加わらないものとなっている。
【００１１】
このほか、第一実施態様のスリングには、以下のような利点もある。例えば、スリングを形成する帯紐には、通常、厚手のものが使用されるため、帯紐の縫合部で帯紐が何重にも重なるようなことがあると、その縫合部が硬くなり、スリングがその縫合部で撓まなくなるおそれがある。しかし、第一実施態様のスリングは、帯紐のどの縫合部においても、帯紐は２重に重なるだけで、３重以上には重ならないため、上記のような硬く撓まない部分が形成されないようにすることができる。
【００１２】
また、スリングにおける環状部α１，α２，β１の付近に、フックなどを掛けることのできるような穴や隙間が、環状部α１，α２，β１以外にも形成されていると、その穴や隙間にフックなどが間違って掛けられ、思わぬ事故に繋がる可能性もある。しかし、第一実施態様のスリングは、フックなどを掛けることができるのは、環状部α１，α２，β１のみであり、上記のような間違いが起こらず、事故の発生を防ぐことのできるものとなっている。
【００１３】
ところで、第一実施態様のスリングは、３つの環状部α１，α２，β１を有するものとなっていたが、帯紐を追加することにより、環状部の数を４つ以上に増やすこともできる。具体的には、点Ａ１０を始点として点Ａ２０を終点とする前記帯紐（以下においては、この帯紐を下記の「短帯紐」と区別するため、「長帯紐」と表記することがある。）よりも短く、点Ｂ１０を始点として点Ｂ２０を終点とする短帯紐を、長帯紐における環状部α２の内側でかつ環状部α１の外側となる部分に配し、短帯紐における区間Ｂ１０Ｂ２０がストリングの前記一端部（環状部α１，α２が形成された側の端部）側に凸となるよう半環状に折り返されて、前記一端部に環状部α１，α２とは別の環状部α３が形成されるとともに、環状部α３における点Ｂ１０近傍の特定区間と環状部α２における特定区間とが互いに縫合された縫合部δ４とされ、環状部α３における点Ｂ２０近傍の特定区間と環状部α２における特定区間とが互いに縫合された縫合部δ５とされる一方、環状部α３における縫合部δ４と縫合部δ５との間の区間は、環状部α１及び環状部α２に対して縫合されないスリングである。以下においては、説明の便宜上、このスリングを「第二実施態様のスリング」と呼ぶことがある。
【００１４】
第二実施態様のスリングでは、４つの環状部α１，α２，α３，β１を形成するのに長帯紐と短帯紐の計２本の帯紐を使用するものの、それでも、特許文献３のスリングで４つの環状部を形成する場合と比較して、使用する帯紐の数を１本少なく抑えることができる。
第二実施態様のスリングから、さらに短帯紐を追加して、５つ以上の環状部を形成することもできる。また、環状部α１の内側だけでなく、環状部β１の内側にも短帯紐を追加して、スリングの前記他端部（環状部β１が形成された側の端部）側の環状部の数を増やすこともできる。これにより、スリングの環状部間隔の変更自由度をさらに高めることが可能になる。
【００１５】
第二実施態様のスリングにおいて、短帯紐の区間Ｂ１０Ｂ２０は、ストリングの前記一端部側へ凸となるように折り返されているので、該短帯紐で形成される環状部α３にフックなどを掛けても、帯紐の縫合部に無理な力がかからない。このため、第二実施態様のスリングも、第一実施態様のスリングと同様、帯紐の縫合部に引き裂かれるような力が加わらないようになっている。また、帯紐の縫合部で帯紐が３重以上に重ならず、スリングに硬く撓まない部分が形成されないことや、スリングにおける環状部α１，α２，α３，β１の付近に、フックなどを掛けることのできるような穴や隙間が、環状部α１，α２，α３，β１以外に形成されないことについても、第一実施態様のスリングと同様である。
【発明の効果】
【００１６】
以上のように、本発明によって、３つ以上の環状部を有し、吊り上げる物品の寸法などに応じて環状部間隔を適宜変更できるとともに、その製造に用いる帯紐の本数を少なく抑え、かつ、環状部に掛けたフックなどが帯紐の縫合部に無理な力を加えず、該縫合部が引き裂かれるおそれのないスリングを提供することが可能になる。また、硬い部分を有さず、全体を撓ませることのできるスリングを提供することも可能になる。さらに、フックなどを掛けることを想定した環状部以外にフックなどを掛けることができるような穴や隙間が存在せず、フックなどの掛け間違いを防ぐことのできるスリングを提供することも可能になる。
【図面の簡単な説明】
【００１７】
【図１】本発明の第一実施態様のスリングを示した斜視図である。
【図２】本発明の第一実施態様のスリングを形成する帯紐の折り曲げ形態及び縫合箇所を模式的に説明する平面図である。
【図３】本発明の第二実施態様のスリングを形成する帯紐の折り曲げ形態及び縫合箇所を模式的に説明する平面図である。
【発明を実施するための形態】
【００１８】
本発明のスリングの好適な実施態様について、図面を用いてより具体的に説明する。以下においては、第一実施態様と第二実施態様の２通りのスリングについて説明するが、本発明のスリングの技術的範囲は、これらの実施態様に限定されるものではなく、各種の変更を加えることができる。
【００１９】
１．第一実施態様のスリング
まず、第一実施態様のスリング１０について説明する。図１は、本発明の第一実施態様のスリング１０を示した斜視図である。図２は、本発明の第一実施態様のスリング１０を形成する長帯紐１１の折り曲げ形態及び縫合箇所を模式的に説明する平面図である。第一実施態様のスリング１０は、図１に示すように、その一端部に２つの環状部α１，α２が形成され、その他端部に１つの環状部β１が形成されたものとなっている。一端部の環状部α１，α２と、他端部の環状部β１は、帯状部γを介して連結されている。このスリング１０は、図２に示すように、点Ａ１０を始点として点Ａ２０を終点とする１本の長帯紐１１の各部を曲げて長帯紐１１を所定箇所で重合させ、その重合された部分の長帯紐１１を互いに縫合することにより形成されたものとなっている。始点Ａ１０と終点Ａ２０は、図２中、大きな白抜きの丸で示してある。
【００２０】
以下においては、図２に示すように、長帯紐１１における始点Ａ１０から終点Ａ２０までの間に、始点Ａ１０側から終点Ａ２０側へ向かって順番に、４つの大区分点Ａ１１，Ａ１２，Ａ１３，Ａ１４を設けて説明する。大区分点Ａ１１，Ａ１２，Ａ１３，Ａ１４は、図２中、大きな黒塗潰しの丸（始点Ａ１０及び終点Ａ２０を示す白抜きの丸と同じ大きさ）で示してある。また、長帯紐１１における始点Ａ１０から大区分点Ａ１１までの間に、始点Ａ１０側から大区分点Ａ１１側へ向かって順番に、６つの小区分点Ａ１０．１，Ａ１０．２，Ａ１０．３，Ａ１０．４，Ａ１０．５，Ａ１０．６を設けて考える。さらに、長帯紐１１における大区分点Ａ１２から大区分点Ａ１３までの間に、大区分点Ａ１２側から大区分点Ａ１３側へ向かって順番に、３つの小区分点Ａ１２．１，Ａ１２．２，Ａ１２．３を設けて考える。さらにまた、長帯紐１１における大区分点Ａ１４から終点Ａ２０までの間に、大区分点Ａ１４側から終点Ａ２０側へ向かって順番に、６つの小区分点Ａ１４．１，Ａ１４．２，Ａ１４．３，Ａ１４．４，Ａ１４．５，Ａ１４．６を設けて考える。小区分点Ａ１０．１〜Ａ１０．６，Ａ１２．１〜Ａ１２．３，Ａ１４．１〜Ａ１４．６は、図２中、小さな黒塗潰しの丸（大区分点Ａ１１，Ａ１２，Ａ１３，Ａ１４を示す黒塗潰しの丸の半分の大きさ）で示してある。
【００２１】
長帯紐１１における始点Ａ１０から大区分点Ａ１１までの区間Ａ１０Ａ１１は、図２に示すように、環状に折り返されており、長帯紐１１の一端部に環状部α１を形成している。環状部α１は、その一端の点（始点Ａ１０）と他端の点（大区分点Ａ１１）が離されており、一部が切れた開環状となっている。始点Ａ１０は、大区分点Ａ１１よりも外側（図２における紙面左側）に配されており、帯状部γと重ならないようにしている。これにより、後述する縫合部δ１が縫合部δ３に重ならないようにすることが可能となっている。また、長帯紐１１における点Ａ１１から点Ａ１２までの区間Ａ１１Ａ１２は、線状に伸ばされており、帯状部γにおける片面部γ１を形成している。さらに、長帯紐１１における点Ａ１２から点Ａ１３までの区間Ａ１２Ａ１３は、環状に折り返されており、長帯紐１１の他端部に環状部β１を形成している。環状部β１は、その一端の点（大区分点Ａ１２）と他端の点（大区分点Ａ１３）が重ねられており、全体が閉じた閉環状となっている。さらにまた、長帯紐１１における点Ａ１３から点Ａ１４までの区間Ａ１３Ａ１４は、長帯紐１１の区間Ａ１１Ａ１２に重ねられて、帯状部γにおける片面部γ２を形成している。ここで、片面部γ２は、帯状部γにおける片面部γ１とは反対側の面を形成する部分である。そして、長帯紐１１における点Ａ１４から点Ａ２０までの区間Ａ１４Ａ２０は、環状部α１の外周部を囲むように環状に折り返されており、長帯紐１１の一端部に環状部α２を形成している。環状部α２は、その一端の点（大区分点Ａ１４）と他端の点（終点Ａ２０）が離されており、一部が切れた開環状となっている。終点Ａ２０は、大区分点Ａ１４よりも外側（図２における紙面左側）に配されており、帯状部γと重ならないようにしている。これにより、後述する縫合部δ２が縫合部δ３に重ならないようにすることが可能となっている。
【００２２】
第一実施態様のスリング１０において、長帯紐１１は、その３箇所で互いに縫合される。具体的には、図１及び図２に示す縫合部δ１，δ２，δ３（網掛のハッチングで示した部分）で縫合される。より具体的には、図２に示すように、縫合部δ１では、環状部α１における始点Ａ１０から小区分点Ａ１０．１までの区間Ａ１０Ａ１０．１と、環状部α２における小区分点Ａ１４．１から小区分点Ａ１４．２までの区間Ａ１４．１Ａ１４．２とが互いに縫合している。また、縫合部δ２では、環状部α１における小区分点Ａ１０．５から小区分点Ａ１０．６までの区間Ａ１０．５Ａ１０．６と、環状部α２における小区分点Ａ１４．６から終点Ａ２０までの区間Ａ１４．６Ａ２０とが互いに縫合されている。さらに、縫合部δ３では、帯状部γの片面部γ１における大区分点Ａ１１から大区分点Ａ１２までの区間Ａ１１Ａ１２と、帯状部γの片面部γ２における大区分点Ａ１３から大区分点Ａ１４までの区間Ａ１３Ａ１４とが互いに縫合されている。縫合部δ１，δ２，δ３のどの場所おいても、長帯紐１１は２重で重なっているだけで、３重以上には重なっていない。このため、スリング１０には、硬く撓まない部分が形成されないようになっている。
【００２３】
加えて、第一実施態様のスリング１０は、環状部α１，α２，β１のいずれにフックなどを引っ掛けても、縫合部δ１，δ２，δ３のいずれにも引き裂くような力は加わらないようになっている。例えば、スリング１０の帯状部γを物品の下側に掛け回し、環状部α１と環状部β１とを物品の上方で重ねて、環状部α１と環状部β１とにクレーンのフックを引っ掛け、物品を吊り下げる（「バスケット吊り」する）場合について考える。この場合、フックは、環状部α１，β１の外端点（小区分点Ａ１０．３，Ａ１２．２）でスリング１０を支持するようになる。このため、縫合部δ３には、長帯紐１１に沿った方向の引張力は加えられるものの、帯状部γの片面部γ１と片面部γ２とを引き剥がすような力は加えられない。また、他の縫合部δ１，δ２にも、長帯紐１１に沿った方向の引張力は加えられるものの、長帯紐１１における区間Ａ１０Ａ１０．１と区間Ａ１４．１Ａ１４．２とを引き剥がすような力や、長帯紐１１における区間Ａ１０．５Ａ１０．６と区間Ａ１４．６Ａ２０とを引き剥がすような力は加えられない。これは、環状部α１の代わりに環状部α２にフックを引っ掛けて物品を吊り上げた場合や、物品を「バスケット吊り」以外の方法（例えば、環状部α１，α２にクレーンのフックを引っ掛けて、環状部β１に物品のフックを引っ掛ける「ストレート吊り」）で吊り上げる場合についても同様である。このように、第一実施態様のスリング１０は、その全ての縫合部δ１，δ２，δ３に無理な力が加わらない構造となっており、破損しにくく耐久性に優れたものとなっている。
【００２４】
ところで、縫合部δ１の長さ（環状部α１における区間Ａ１０Ａ１０．１の長さ）は、環状部α１の寸法などによっても異なり、特に限定されない。しかし、縫合部δ１は、ある程度長くしておかないと、スリング１０の耐久性が低下するおそれがある。このため、縫合部δ１の長さは、通常、５ｃｍ以上とされ、かつ、環状部α１における区間Ａ１０Ａ１０．６の長さ（以下において、「環状部α１の周囲長」と表記する。）の０．０５倍以上とされる。縫合部δ１の長さは、環状部α１の周囲長の０．１倍以上であると好ましく、０．２以上であるとより好ましい。一方、縫合部δ１を長くしすぎると、環状部α１が硬くなり、環状部α１にフックなどを引っ掛けにくくなるおそれがある。このため、縫合部δ１の長さは、通常、環状部α１の周囲長の０．４５倍以下とされる。縫合部δ１の長さは、環状部α１の周囲長の０．４２倍以下であると好ましく、０．４倍以下であるとより好ましい。第一実施態様のスリング１０において、縫合部δ１の長さは２０ｃｍとなっており、環状部α１の周囲長の約０．３７倍となっている。縫合部δ２についても、縫合部δ１と同様である。これに対し、縫合部δ３は、通常、帯状部γの長さに一致される。第一実施態様のスリング１０において、帯状部γの長さ（区間Ａ１１Ａ１２の長さ）は４４ｃｍとなっており、縫合部δ３の長さも４４ｃｍとなっている。
【００２５】
また、第一実施態様のスリング１０において、フックを通すことができるような開口部は、図２に示すように、
［１］環状部α１によって形成される開口部、すなわち、長帯紐１１における区間Ａ１０Ａ１１と区間Ａ１４Ａ１４．１で囲まれる空間
［２］環状部α２によって形成される開口部、すなわち、長帯紐１１における区間Ａ１０．１Ａ１０．５と区間Ａ１４．２Ａ１４．６で囲まれる空間
［３］環状部β１によって形成される開口部、すなわち、長帯紐１１における区間Ａ１２Ａ１３で囲まれる空間
の３箇所しか存在しない。このため、第一実施態様のスリング１０は、フックを意図しない開口部に引っ掛けてしまうなどの掛け間違いの心配がなく、安全性に優れたものとなっている。
【００２６】
さらに、第一実施態様のスリング１０は、吊り上げる対象の物品の寸法などに応じて、フックなどを引っ掛ける場所を選択することができるものとなっている。例えば、小さな物品を「バスケット吊り」する場合には、環状部α１と環状部β１にクレーンのフックを引っ掛け、大きな物品を「バスケット吊り」する場合には、環状部α２と環状部β１にクレーンのフックを引っ掛けるといったことが可能である。換言すると、第一実施態様のスリング１０は、その「引張長さ」を２通りの中から選択することができるものとなっている。ここで、「引張長さ」とは、スリング１０における吊り上げに有効な部分（引張力が加わって緊張する部分）のスリング１０の長手方向に沿った長さのことを言う。図２に示すように、スリング１０を一直線状に伸ばした場合における環状部α１の外端点Ａ１０．３と環状部β１の外端点Ａ１２．２とを結ぶ直線距離は、環状部α１と環状部β１とを使用して物品を吊り上げた場合の「引張長さ」に一致し、スリング１０を一直線状に伸ばした場合における環状部α２の外端点Ａ１４．４と環状部β１の外端点Ａ１２．２とを結ぶ直線距離は、環状部α２と環状部β１とを使用して物品を吊り上げた場合の「引張長さ」に一致する。第一実施態様のスリング１０において、引張長さは、環状部α１と環状部β１を使用した場合で１００ｃｍ、環状部α１と環状部β１を使用した場合で１３０ｃｍとなっている。
【００２７】
第一実施態様のスリング１０において、物品の吊り上げ時に支持される環状部α１，α２，β１の外端点（小区分点Ａ１０．３，Ａ１４．４，Ａ１２．２）を含む長帯紐１１の特定区間（区間Ａ１０．２Ａ１０．４，Ａ１４．３Ａ１４．５，Ａ１２．１Ａ１２．３）には、図１に示すように、補強布１２を筒状に巻いており、その部分の強度をさらに高めている。第一実施態様のスリング１０において、それぞれの補強布１２は、その位置がずれることのないように、その略全長部を長帯紐１１に対して縫合されている。それぞれの補強布１２の長帯紐１１の長手方向に沿った長さ（区間Ａ１０．２Ａ１０．４，Ａ１４．３Ａ１４．５，Ａ１２．１Ａ１２．３の長さ）は、特に限定されないが、通常、５〜５０ｃｍ、好ましくは、１０〜３０ｃｍとされ、環状部α１，β１の補強布１２よりも、環状部α２の補強布１２の方が長くされる。これらの補強布１２は、場所によってその色を変えると好ましい。これにより、フックなどを引っ掛ける環状部α１，α２，β１と、スリング１０の「引張長さ」との対応を直感的に分かりやすくすることが可能になり、スリング１０を使用した玉掛け作業を効率的に行うことが可能になる。例えば、環状部α１に取り付ける補強布１２の色を「Ｃ１（例えば赤色）」とし、環状部α２に取り付ける補強布１２の色を「Ｃ２（Ｃ１とは異なる色。例えば青色）」とし、環状部β１に取り付ける補強布１２の色を「Ｃ３（Ｃ１及びＣ２のいずれとも異なる色。例えば緑色）」としておくと、「引張長さ」を１００ｃｍとしたい場合には、色Ｃ１（赤色）の部分と色Ｃ３（緑色）の部分にフックを引っ掛け、「引張長さ」を１３０ｃｍとしたい場合には、色Ｃ２（青色）の部分と色Ｃ３（緑色）の部分にフックを引っ掛けるといった具合である。
【００２８】
長帯紐１１は、縫合部δ１，δ２，δ３で互いに縫合できる生地で形成されたものであれば特に限定されない。しかし、長帯紐１１には、通常、繊維を帯状に織製した繊維製の織物生地が使用される。これにより、長帯紐１１を、十分な強度を有しながらも、縫合や裁断などの加工がしやすく、かつ、その製造コストや入手コストを抑えることも可能になる。長帯紐１１として使用する織物生地の種類（織り方）は、特に限定されないが、強度を考慮すると、通常、三軸織物や四軸織物などの多軸織物が採用される。長帯紐１１を織製するのに用いる繊維の種類も、特に限定されないが、強度や耐食性などを考慮して、通常、合成繊維が使用される。長帯紐１１への使用に適した合成繊維としては、アラミド繊維やポリエステル繊維やナイロン繊維などが例示されるが、なかでも、アラミド繊維は、他の高強力繊維よりもさらに高強力であることに加えて、耐疲労性や寸法安定性や耐熱性や耐化学薬品性にも優れ、過酷な環境での使用にも耐えられるために好ましい。第一実施態様のスリングにおいては、帝人株式会社製のパラ型アラミド繊維「テクノーラ（登録商標）」で長帯紐１１を織製している。補強布１２の生地の種類についても、長帯紐１１と同様のものを採用することができる。
【００２９】
２．第二実施態様のスリング
続いて、第二実施態様のスリング１０について説明する。図３は、本発明の第二実施態様のスリング１０を形成する長帯紐１１の折り曲げ形態及び縫合箇所を模式的に説明する平面図である。図３に示す第二実施態様のスリング１０は、図２に示す第一実施態様のスリング１０を基本としたものとなっている。すなわち、第二実施態様のスリング１０は、第一実施態様のスリング１０の長帯紐１１における環状部α２を長く形成し、長帯紐１１における環状部α２の内側でかつ環状部α１の外側となる部分に別の環状部α３を形成したものとなっている。環状部α３は、図３に示すように、点Ｂ１０を始点として点Ｂ２０を終点とする短帯紐１３を、その区間Ｂ１０Ｂ２０が外側に凸となるよう半環状（半円状）に折り返すことにより形成されたものとなっている。始点Ｂ１０と終点Ｂ２０は、図３中、大きな白抜きの丸で示してある。
【００３０】
第一実施態様のスリング１０の長帯紐１１上の各点は、第二実施態様のスリング１０の長帯紐１１上の各点と対応させている。符号も第一実施態様のスリング１０と第二実施態様のスリング１０とで対応させている。第二実施態様のスリング１０における第一実施態様のスリング１０と同一の符号及び点を付した部分の具体的な構成は、第一実施態様のスリング１０と略同様であるために、説明を割愛する。第二実施態様のスリング１０では、説明の便宜上、図３に示すように、長帯紐１１における小区分点Ａ１４．２から小区分点Ａ１４．３までの間に、小区分点Ａ１４．２側から小区分点Ａ１４．３側へ向かって順番に、２つの小区分点Ａ１４．２１，Ａ１４．２２を新たに設けている。また、長帯紐１１における小区分点Ａ１４．５から小区分点Ａ１４．６までの間に、小区分点Ａ１４．５側から小区分点Ａ１４．６側へ向かって順番に、２つの小区分点Ａ１４．５１，Ａ１４．５２を新たに設けている。さらに、長帯紐１３における始点Ｂ１０から終点Ｂ２０までの間に、始点Ｂ１０側から終点Ｂ２０側へ向かって順番に、５つの小区分点Ｂ１０．１，Ｂ１０．２，Ｂ１０．３，Ｂ１０．４，Ｂ１０．５を設けている。小区分点Ａ１４．２１，Ａ１４．２２，Ａ１４．５１，Ａ１４．５２，Ｂ１０．１，Ｂ１０．２，Ｂ１０．３，Ｂ１０．４，Ｂ１０．５は、図３中、小さな黒塗潰しの丸（大区分点Ａ１１，Ａ１２，Ａ１３，Ａ１４を示す黒塗潰しの丸の半分の大きさ）で示してある。
【００３１】
第二実施態様のスリング１０においては、第一実施態様のスリング１０で既に説明した縫合部δ１，δ２，δ３に加えて、図３に示すように、縫合部δ４，δ５を設けている。縫合部δ４では、長帯紐１１における区間Ａ１４．２１Ａ１４．２２と、長帯紐１３における区間Ｂ１０Ｂ１０．１とが互いに縫合されている。縫合部δ５では、長帯紐１１における区間Ａ１４．５１Ａ１４．５２と、短帯紐１３における区間Ｂ１０．５Ｂ２０とが互いに縫合されている。縫合部δ４，δ５のどの場所おいても、長帯紐１１と短帯紐１３とが２重で重なっているだけで、３重以上には重なっていない。このため、第二実施態様のスリング１０においても、硬く撓まない部分が形成されないようになっている。また、新たに設けた環状部α３にフックなどを引っ掛けて物品を吊り下げても、いずれの縫合部δ１，δ２，δ３，δ４，δ５にも引き裂かれるような力は加わらないようになっている。さらに、第二実施態様のスリング１０も、第一実施態様のスリング１０と同様、フックなどの掛け間違いが発生しないものとなっている。第二実施態様のスリング１０において、環状部α３の外端点Ｂ１０．３を含む特定区間Ｂ１０．２Ｂ１０．３には、第一実施態様のスリング１０と同様に、補強布１２を取り付けることもできる。
【００３２】
第二実施態様のスリング１０は、１本の長帯紐１１と１本の短帯紐１３の合計２本と言う少ない本数の帯紐で形成したにもかかわらず、４つの環状部α１，α２，α３，β１を形成できるものとなっている。第二実施態様のスリング１０は、一端部に３つの環状部α１，α２，α３を設け、他端部に１つの環状部β１を設けたものとなっているが、短帯紐１３を環状部α２の内側ではなく、環状部β１の内側に取り付けることによって、一端部に２つの環状部を設け、他端部に２つの環状部を設けるといった変更も可能である。また、２本以上の短帯紐１３を使用することによって、スリング１０の一端部や他端部に３つ、４つ、あるいはそれ以上の環状部を形成することも可能である。短帯紐１３を１本追加するごとに、環状部の数を１つずつ増加させることができる。したがって、スリング１０の「引張長さ」をさらに多段階で選択することが可能になり、スリング１０の汎用性をより高めることが可能である。
【００３３】
３．用途
本発明のスリングは、各種の用途に使用することができるが、クレーンなどの運搬機械を利用して物品を吊り上げる際に、運搬機械と物品を連結するものとして好適に使用することができる。この場合、スリングの吊り下げ方は、特に限定されず、上述した「バスケット吊り」や「ストレート吊り」のほか、スリングの帯状部を物品の下側に掛け回し、スリングの両端部を物品の上方に持ち上げて、一端部の環状部に他端部の環状部を通してスリングをループ状とした状態で、一端部の環状部にフックなどを引っ掛けて物品を吊り上げる「チョーク吊り」などでも好適に使用することができる。
【符号の説明】
【００３４】
１０  スリング
１１  帯紐（長帯紐）
１２  補強布
１３  短帯紐
【図１】
0005534803.tif 000002
【図２】
0005534803.tif 000003
【図３】
0005534803.tif 000004